(57)【特許請求の範囲】
【請求項１】
第１コネクタが第２コネクタの嵌合部に内嵌して正規の嵌合状態となる一対のコネクタであって、
弾性変位可能な一対の脚部を備えたスプリングにより、前記第１コネクタおよび前記第２コネクタが正規の嵌合状態にロックされるものであり、
前記スプリングは、前記第１コネクタと前記第２コネクタとが嵌合する前から、前記第１コネクタおよび前記第２コネクタのいずれか一方のハウジングの装着部に装着され、
前記装着部を挟む前後には周方向に延びる一対の壁部が設けられ、
前記スプリングは、前記第１コネクタと前記第２コネクタとが嵌合する前と嵌合した後とのいずれにおいても前記一対の壁部よりも外側に突出することなくその間に収容されており、
前記一方のハウジングには、前記一対のコネクタの嵌合の際に、前記第１コネクタおよび第２コネクタの他方のハウジングに設けられた被係合部が通過可能な通過路が形成されており、
前記脚部は、前記通過路と前記装着部とを連通する連通部を介して前記通過路側へ張り出す形態をなし、前記被係合部は、前記一対のコネクタの嵌合の際、前記脚部に接触して同脚部を弾性変位させつつ前記通過路を前進するものとされ、
前記被係合部のうちの後側の面は、前記一対のコネクタが正規の嵌合状態に至ると前記連通部に臨む位置に配されるとともに、前記脚部の弾性復元力を受けて前記他方のハウジングを前方に押す力を生じる傾斜をなす被係合面とされ、
前記第２コネクタの嵌合部には、この嵌合部の奥側に向かって同嵌合部の幅寸法を狭める向きの傾斜をなすテーパ面が形成されるとともに、前記第１コネクタのうち前記第２コネクタのテーパ面と接触する部分には、このテーパ面の傾斜に沿う傾斜面が形成され、
前記一対のコネクタの正規の嵌合状態においては、前記脚部が前記被係合面に接触することによって、前記一対のコネクタがロックされるとともに前記他方のハウジングが前方に押され、この他方のハウジングの前方への移動を許容するクリアランスを確保する位置で、前記テーパ面と前記傾斜面とが接触することを特徴とするコネクタ。
【請求項２】
前記スプリングは、前記脚部が前記通過路側へ張り出す進入位置と、前記脚部が前記通過路側から退避する退避位置との間で変位可能とされ、
前記連通部または前記脚部には、前記スプリングの変位方向に対して傾斜する誘導部が設けられていることを特徴とする請求項１に記載のコネクタ。
【請求項３】
前記装着部は、前記第２コネクタの外周面に設けられていることを特徴とする請求項１または請求項２に記載のコネクタ。
【発明の詳細な説明】
【技術分野】
【０００１】
本発明は、互いに嵌合可能な一対のコネクタに関する。
【背景技術】
【０００２】
従来より、一方のコネクタに設けられたロックアームと、他方のコネクタに設けられたロック突部との係合により、正規の嵌合状態にロックされるコネクタが知られている（例えば特許文献１）。ロックアームの先端部は、ロック突部と係合可能な係合部とされ、両コネクタの嵌合途中においては、係合部がロック突部に乗り上げてロックアームが弾性変形する。そして、両コネクタが正規の嵌合状態に至ると、係合部がロック突部を乗り越えてロックアームが弾性復帰し、係合部がロック突部に係合することにより、両コネクタが正規の嵌合状態にロックされる。
【特許文献１】特開２００５−１８３３４２公報
【発明の開示】
【発明が解決しようとする課題】
【０００３】
上記のようなコネクタにおいては、ロックアームが弾性復帰する際に係合部とロック突部とが干渉しないよう、両者の間には所定のクリアランスが確保されている。このため、コネクタが振動等を受けると、ロック突部と係合部との間にがた付きが生じ、異音が発生したり、端子同士が摺動して磨耗することが懸念される。特に、コネクタが高温・高振動の環境下で使用される場合には、クリープによる変形でロック突部と係合部との間のクリアランスが拡大するおそれがあり、がた付きを防止するための対策が望まれている。
本発明は上記のような事情に基づいて完成されたものであって、がた付きを防止することが可能なコネクタを提供することを目的とする。
【課題を解決するための手段】
【０００４】
本発明は、第１コネクタが第２コネクタの嵌合部に内嵌して正規の嵌合状態となる一対のコネクタであって、弾性変位可能な一対の脚部を備えたスプリングにより、前記第１コネクタおよび前記第２コネクタが正規の嵌合状態にロックされるものであり、前記スプリングは、前記第１コネクタと前記第２コネクタとが嵌合する前から、前記第１コネクタおよび前記第２コネクタのいずれか一方のハウジングの装着部に装着され、前記装着部を挟む前後には周方向に延びる一対の壁部が設けられ、前記スプリングは、前記第１コネクタと前記第２コネクタとが嵌合する前と嵌合した後とのいずれにおいても前記一対の壁部よりも外側に突出することなくその間に収容されており、前記一方のハウジングには、前記一対のコネクタの嵌合の際に、前記第１コネクタおよび第２コネクタの他方のハウジングに設けられた被係合部が通過可能な通過路が形成されており、前記脚部は、前記通過路と前記装着部とを連通する連通部を介して前記通過路側へ張り出す形態をなし、前記被係合部は、前記一対のコネクタの嵌合の際、前記脚部に接触して同脚部を弾性変位させつつ前記通過路を前進するものとされ、前記被係合部のうちの後側の面は、前記一対のコネクタが正規の嵌合状態に至ると前記連通部に臨む位置に配されるとともに、前記脚部の弾性復元力を受けて前記他方のハウジングを前方に押す力を生じる傾斜をなす被係合面とされ、前記第２コネクタの嵌合部には、この嵌合部の奥側に向かって同嵌合部の幅寸法を狭める向きの傾斜をなすテーパ面が形成されるとともに、前記第１コネクタのうち前記第２コネクタのテーパ面と接触する部分には、このテーパ面の傾斜に沿う傾斜面が形成され、前記一対のコネクタの正規の嵌合状態においては、前記脚部が前記被係合面に接触することによって、前記一対のコネクタがロックされるとともに前記他方のハウジングが前方に押され、この他方のハウジングの前方への移動を許容するクリアランスを確保する位置で、前記テーパ面と前記傾斜面とが接触するところに特徴を有する。
【０００５】
このような構成によれば、一対のコネクタが正規の嵌合状態に至ると、第１コネクタは、前方にクリアランスが確保された状態で第２コネクタのテーパ面に接触し、かつ弾性復帰した脚部が被係合面を押圧することにより、この被係合面が設けられた側のハウジングが嵌合方向前方に押された状態になる。したがって、コネクタがクリープ等により変形しても、脚部の弾性復元力によりハウジングが前進し、第１コネクタと第２コネクタとが接触した状態に保持されるから、両コネクタのがた付きを防止することができる。
【０００６】
また、両コネクタは面接触した状態になるから、強固にがた付きを防止することができる。 
また、スプリングは壁部の間に装着されるから、第２コネクタとスプリングとの間のがた付きを低減することができる。
【０００７】
前記スプリングは、前記脚部が前記通過路側へ張り出す進入位置と、前記脚部が前記通過路側から退避する退避位置との間で変位可能とされ、前記連通部または前記脚部には、前記スプリングの変位方向に対して傾斜する誘導部が設けられているものとしてもよい。これにより、スプリングの変位をスムーズに行うことができる。
【０００８】
前記装着部は、前記第２コネクタの外周面に設けられているものとしてもよい。
【発明の効果】
【０００９】
本発明によれば、がた付きを防止することが可能なコネクタを提供することができる。
【発明を実施するための最良の形態】
【００１０】
以下、本発明の実施形態を図１〜図７によって説明する。
本実施形態におけるコネクタは、互いに嵌合可能な雄コネクタ１０（本発明の第１コネクタに該当する）と雌コネクタ２０（本発明の第２コネクタに該当する）とを備えている。以下、各構成部材において、両コネクタ１０，２０における嵌合面側をそれぞれ前方とし、また図１の上側を上方、下側を下方として説明する。
【００１１】
雄コネクタ１０は、雄ハウジング１１と、この雄ハウジング１１に保持された雄端子１２とを備えている。雄ハウジング１１は合成樹脂製であって、幅方向に若干長い略角筒状をなして前方に開口する前側フード部１３と、後方に開口する後側フード部１４とを備えている。前側フード部１３の厚さ寸法（内外方向寸法）は、その略前半部分が略後半部分よりも小さくされている。雄ハウジング１１の左右両側面には、左右へ向かってそれぞれ突出する係合突起１６（本発明の被係合部に該当する）が設けられている。係合突起１６については後ほど詳しく説明する。
【００１２】
雄端子１２は、３本が幅方向に並列して備えられ、それぞれ雄ハウジング１１の奥壁１５（前側フード部１３と後側フード部１４との間の壁）を前後方向に貫通して保持されている。３本の雄端子１２の前側部分および後側部分は、それぞれ前側フード部１３内および後側フード部１４内において前方および後方に突出している。
【００１３】
雌コネクタ２０は、雄ハウジング１１と嵌合可能な合成樹脂製の雌ハウジング２１を備えている。雌ハウジング２１は、雌端子２２を収容可能な端子収容部２３と、この端子収容部２３の外周側を囲う外筒部２４とを備えている。
端子収容部２３は、雄ハウジング１１の前側フード部１３内に嵌合可能な幅方向に若干長い断面の角柱状をなし、この端子収容部２３には、雌端子２２を後方から挿入可能な３つのキャビティ２５が横並びに形成されている。
【００１４】
外筒部２４は、全体として略筒状をなして端子収容部２３の後端から前端にかけて設けられ、外筒部２４の後端と端子収容部２３の後端とが連結部２６によって連結されている。そして、外筒部２４と端子収容部２３との間には、雄ハウジング１１の前側フード部１３を差し込み可能な間隔が空けられ、この外筒部２４と端子収容部２３との間の部分が雄コネクタ１０の内嵌する嵌合部２７とされている。嵌合部２７を構成する端子収容部２３の外周面および外筒部２４の内周面には、前側フード部１３との間のがた止めを図るがた止めリブ４９が複数箇所に突設されている（図６参照）。なお、外筒部２４の下面には、雌端子２２の抜け止めを図るリテーナ４８を、端子収容部２３に組み付けるための開口部２４Ａが開口されている。
【００１５】
端子収容部２３の外周面の後寄り位置にはシールリング２８が外嵌されている。シールリング２８が、前側フード部１３と端子収容部２３との間に挟み付けられることで、両ハウジング１１，１２間がシールされる。
【００１６】
雌ハウジング２１の後端部には、左右両側面から左右へそれぞれ突出する一対の指掛け部２９が設けられている。そして、両コネクタ１０，２０を離脱させる際に、両指掛け部２９に指先を引っ掛けて雌ハウジング２１を引き抜くことが可能となっている。
【００１７】
外筒部２４の上面には、前後方向に延びる一対の立上り壁３１が幅方向に所定の間隔を空けて設けられている。一対の立上り壁３１は、雌ハウジング２１の後端から前端寄りの位置まで連続して延びる形態をなしている。
【００１８】
外筒部２４の両側面には、一対の立上り壁３１の前端からそれぞれ外筒部２４の両側面に沿って周方向に延びる第１位置決め壁３２が設けられ、また外筒部２４のうち第１位置決め壁３２の前方には、第２位置決め壁３３が設けられている。第２位置決め壁３３は、外筒部２４の上面と両側面とにわたって周方向に延びる壁状をなしている。第２位置決め壁３３と第１位置決め壁３２とは互いに略平行をなし、その間にはスプリング５０の前後方向の幅寸法（直径）とほぼ等しい間隔が空けられている。なお、この第１位置決め壁３２と第２位置決め壁３３とが本発明の一対の壁部に該当する。
【００１９】
第２位置決め壁３３のうち外筒部２４の上面に沿う部分の幅方向略中央部には、前方へ凹む形態の前側凹部３４が形成されている。前側凹部３４は、その幅方向両端部から中央へ向かって少しずつ凹み深さが大きくなる形状をなし、その中央部の深さ寸法は第２位置決め壁３３の壁厚寸法（前後方向の幅寸法）の略半分程度とされている。
【００２０】
外筒部２４のうち第１位置決め壁３２と第２位置決め壁３３との間の部分は、スプリング５０が装着される装着部３５とされている。すなわち雌ハウジング２１が本発明の一方のハウジングに該当し、雄ハウジング１１が他方のハウジングに該当する。装着部３５は、外筒部２４の外周面を内側に凹ませてなる部分と、第１位置決め壁３２および第２位置決め壁３３とから構成されている。
【００２１】
そして、外筒部２４の左右両側壁には、雄ハウジング１１の係合突起１６が通過可能な通過路３６が形成されている。通過路３６は、内側（端子収容部２３側）へ開放された溝状をなして外筒部２４の前端から後方へ延びる形態をなすとともに装着部３５と連通している。
【００２２】
装着部３５と通過路３６とが連通する連通部３７の上面３７Ａおよび下面３７Ｂは、外側（装着部３５側）から内側に向かって互いに接近する傾斜をなし、その内側における連通部３７の上下方向寸法は、係合突起１６の上下方向寸法とほぼ等しい寸法とされている（図５参照）。
【００２３】
スプリング５０は、全体として下方に開放された略Ｕ字状をなし、互いに対向方向に弾性変位可能な一対の脚部５１と、この脚部５１の上端部同士を連結する上辺部５２とを備えている。一対の脚部５１は、自然状態にあるときには上辺部５２の両端からこの上辺部５２に対して略垂直方向に垂下している。
【００２４】
一対の脚部５１の下端部は、内側（互いに接近方向）に略山状をなして屈曲された形状をなし、この屈曲された部分は連通部３７を介して通過路３６に張り出す係合部５３とされている。係合部５３は、内側端に向かって互いに接近する上側傾斜辺５３Ａと下側傾斜辺５３Ｂとからなり、全体として内側に向かって上下方向の幅寸法が小さくなる形状をなしている。上側傾斜辺５３Ａと下側傾斜辺５３Ｂとは、連通部３７の上面３７Ａおよび下面３７Ｂの傾斜とほぼ等しい傾斜をなしている。なお、係合部５３の突出端部（上側傾斜辺５３Ａと下側傾斜辺５３Ｂとの連結部分）には丸みが付されている。
【００２５】
スプリング５０は、係合部５３が通過路３６に張り出す進入位置（図５参照）と、係合部５３が通過路３６から退避する退避位置（図６参照）との間で変位可能に装着されている。スプリング５０が進入位置にあるときには、通過路３６に張り出した係合部５３が、通過路３６を通過する係合突起１６に押されることにより、脚部５１が外側へ弾性撓みする。そして、両コネクタ１０，２０が正規の嵌合状態に至ると、脚部５１が弾性復帰して係合部５３が係合突起１６の被係合面１６Ｂに係合し、雄ハウジング１１を離脱不能にロックする。
【００２６】
スプリング５０は、進入位置から上方（雌ハウジング２１から離間する方向）に変位することにより退避位置に至る。スプリング５０が退避位置に至ると、係合部５３は通過路３６から退避してロックの解除がなされる。通過路３６から退避した係合部５３は、連通部３７の上面３７Ａの外側に位置するものとされ、連通部３７の上面３７Ａと係合部５３の上側傾斜辺５３Ａとが、本発明の誘導部に該当する。
【００２７】
外筒部２４の上面のうち立上り壁３１間の部分には、その前後方向略中央位置から雌ハウジング２１の後縁にかけて凹む形態の後側凹部３８が形成されている（図７参照）。後側凹部３８の凹み寸法は、後方へ向かって少しずつ深くされている。
【００２８】
外筒部２４のうち一対の立上り壁３１の内側には、ロック解除アーム３９が設けられている。ロック解除アーム３９は前後方向（雄ハウジング１１との嵌合方向）に延びる形態をなし、幅方向に一対設けられた連結回動軸４１により両立上り壁３１に連結されてシーソー状に傾動可能とされている。
【００２９】
ロック解除アーム３９の前端部（一端）はスプリング５０の下側に配され、ロック解除アーム３９が傾動するとスプリング５０を上方（雌ハウジング２１から離間する方向）へ押し上げる押動部４２とされている。そして、ロック解除アーム３９の前端には上方へ立ち上がる前壁部４３が設けられ、この前壁部４３により、押動部４２は下方へ凹む形状、すなわちスプリング５０を押し上げる際に、スプリング５０が押し付けられる側に凹む形状をなしている。前壁部４３は、第２位置決め壁３３の前側凹部３４に入り込んだ状態となり、前壁部４３の後面と第２位置決め壁３３の後面（第１位置決め壁３２との対向面）とは略面一とされている。なお、前壁部４３は、上端へ向かって幅方向寸法が少しずつ小さくなる略山状をなしている。
【００３０】
前壁部４３の上端には、後方へ突出するフック部４４が設けられている。フック部４４の前壁部４３からの突出寸法はスプリング５０の前後方向幅の略半分の寸法（半径）とほぼ等しい寸法とされている。フック部４４は、スプリング５０の上辺部５２の上側に配され、フック部４４と押動部４２との間にはスプリング５０の上下方向幅寸法（直径）とほぼ等しい間隔が空けられ、スプリング５０の上辺部５２は、フック部４４と押動部４２により上下にほぼ隙間のない状態で挟まれる。フック部４４は、スプリング５０の幅方向中央部（一対の脚部５１間の中央部）に対応する位置に設けられている。
【００３１】
そして、スプリング５０のほぼ全体は、第１位置決め壁３２と、前壁部４３および第２位置決め壁３３とにより前後方向にほぼ隙間のない状態で挟まれる。なお、スプリング５０が、進入位置と退避位置との間を変位する範囲にわたってこれらに挟まれた状態になるよう、第１位置決め壁３２および第２位置決め壁３３の高さ寸法が設定されている。
【００３２】
ロック解除アーム３９の後端部（他端）には、押圧操作されることにより押動部４２を押し動かすロック解除操作部４５が設けられている。このロック解除操作部４５の下面は後端へ向かって上る（ロック解除操作部４５の厚さ寸法を小さくする）傾斜をなしている。ロック解除操作部４５の下面の傾斜と雌ハウジング２１の後側凹部３８とにより、雌ハウジング２１の高さ寸法を抑えつつロック解除操作部４５の下方への十分な弾性変位量を確保している。
【００３３】
ロック解除アーム３９が自然状態にあるときには、スプリング５０は進入位置に保持され、雌ハウジング２１は雄ハウジング１１とのロックが可能な状態にあり、このときのロック解除アーム３９の状態をロック可能状態と称する。そして、ロック解除操作部４５が押圧操作されてロック解除アーム３９が傾動したときには、押動部４２がスプリング５０を上方へ押し動かして、スプリング５０が退避位置に変位した状態、すなわち雄ハウジング１１とのロックが解除された状態にあり、このロック解除アーム３９の状態をロック解除状態と称する。
【００３４】
さて、雌コネクタ２０の嵌合部２７には、後側（奥側）へ向かってこの嵌合部２７の幅方向寸法を狭める向きの傾斜（端子収容部２３に接近する向きの傾斜）をなすテーパ面４６が形成されている。このテーパ面４６は、外筒部２４の内周面（端子収容部２３と対向する面）に形成されている。テーパ面４６は、嵌合部２７の奥端部、詳しくは外筒部２４の内周面のうち連結部２６のすぐ前側の位置から端子収容部２３に外嵌されたシールリング２８の前端寄りの位置に対応する範囲に形成されている。テーパ面４６は、外筒部２４の内周面のほぼ全周（詳しくは４角部を除く上下左右の縁部）にわたって形成され、嵌合部２７の上下左右の幅寸法が狭められている。そして、嵌合部２７の奥端部の幅寸法（テーパ面４６と端子収容部２３との間隔）は、雄ハウジング１１の前側フード部１３の前端の厚さ寸法よりも小さい寸法に設定されている。これにより、両コネクタ１０，２０が正規の嵌合状態に至ると、前側フード部１３の前端が嵌合部２７の奥端に達する前の段階で前側フード部１３がテーパ面４６に当接し、前側フード部１３の前方（雌コネクタ２０に対する嵌合方向前方）にクリアランスが確保された状態になる。
【００３５】
また、前側フード部１３の前端部（雌ハウジング２１のテーパ面４６と接触する部分）には、テーパ面４６の傾斜に沿う傾斜面１７が形成されている。傾斜面１７は、前側フード部１３の外周面にほぼ全周にわたって形成されている。傾斜面１７は、前側フード部１３の前端から後方へ向かって外方へ傾く傾斜をなし、この傾斜面１７により前側フード部１３の前端部は、前端へ向かって少しずつ薄くなる形状をなしている。なお、前側フード部１３の内周面のうち傾斜面１７に対応する部分がシールリング２８に密着する部分となっている。
【００３６】
雄コネクタ１０の係合突起１６は、雄ハウジング１１の前後方向ほぼ中央位置に配されるとともに、その高さ位置は雄ハウジング１１の上下方向略中央位置とされている。係合突起１６の前側の面は、スプリング５０が乗り上がり易いように前方から後方に向かって緩やかに上る傾斜をなす乗上げ面１６Ａとされ、一方、後側の面は、スプリング５０が係合可能な被係合面１６Ｂとされている。
【００３７】
被係合面１６Ｂは、脚部５１の弾性復元力（前側フード部１３の外側から内側へ向かう方向の力）を受けると、係合突起１６を前方（雌ハウジング２１との嵌合方向前方）に押す力を生じる傾斜、言い換えると、後方に向かって前側フード部１３からの突出寸法が小さくなる傾斜をなしている。被係合面１６Ｂの傾斜は、乗上げ面１６Ａの傾斜よりも勾配がきつく、スプリング５０の前後方向の幅寸法よりも小さい寸法分で、係合突起１６の突出寸法分だけ傾く傾斜とされている。被係合面１６Ｂは、両コネクタ１０，２０が正規の嵌合状態に至ると、連通部３７に臨む位置に配される設定とされている。詳しくは、両コネクタ１０，２０の正規の嵌合状態では、被係合面１６Ｂの前縁位置が連通部３７の前縁位置と一致し、被係合面１６Ｂ全体が連通部３７を介して外筒部２４の外部空間に臨んだ状態になる。なお、テーパ面４６を設けて前側フード部１３の前方にクリアランスが確保される設定としたことにより、被係合面１６Ｂの前後方向の位置の設定を容易に行うことができる。例えば、前側フード部の前端が嵌合部の奥端に突き当たる形態である場合には、それにより両ハウジングの前後方向の位置が決まってしまう。しかしながら、本実施形態においては、前側フード部１３の前方にクリアランスが設けられているから、多少の誤差であれば前側フード部１３を前方へ押し込むようにしてその誤差を吸収することが可能だからである。
【００３８】
次に、雄コネクタ１０と雌コネクタ２０とを正規の嵌合状態にロックする作業について説明する。ロック解除アーム３９は常にはロック可能状態にセットされ、スプリング５０は常には進入位置にセットされている。
【００３９】
まず、雌ハウジング２１を指で把持し、雄ハウジング１１の係合突起１６に対して雌ハウジング２１の通過路３６を位置合わせしつつ雄コネクタ１０側に徐々に押し込んでいく。すると、係合突起１６が通過路３６を前進してその乗上げ面１６Ａがスプリング５０の係合部５３に接触し、係合突起１６の前進に伴ってスプリング５０の係合部５３は係合突起１６に乗り上がるとともに脚部５１は互いに拡開方向に弾性変位する。このとき、ロック解除アーム３９のフック部４４がスプリング５０の上側に配されているから、脚部５１の弾性変位の際にスプリング５０が上方へ浮き上がる事態を防ぐことができる。
【００４０】
そして、雄ハウジング１１の前側フード部１３の前端部が、シールリング２８を押圧しながら嵌合部２７の奥側へ差し込まれていき、両コネクタ１０，２０が正規の嵌合状態に至ると、前側フード部１３の傾斜面１７がテーパ面４６に当接してそれ以上の前進が規制される。また、係合突起１６の突出端面（乗上げ面１６Ａと被係合面１６Ｂとの間の面）がスプリング５０を前方に通り過ぎて脚部５１が弾性復帰し、連通部３７に臨んで配された被係合面１６Ｂに脚部５１が弾接した状態になって両ハウジング１１，２１が離間不能にロックされる。このとき、脚部５１の係合部５３は、被係合面１６Ｂのうちの前側寄りの位置に押し付けられる。なお、両コネクタ１０，２０の正規の嵌合状態においては、シールリング２８と電線用ゴム栓４７とによって両ハウジング１１，２１の内部空間が密閉され、また、雄雌両端子１２，２２が正規に導通接続される。
【００４１】
このように、一対のコネクタ１０，２０が正規の嵌合状態に至ると、雄コネクタ１０の前方にクリアランスが確保された状態で、雄コネクタ１０の傾斜面１７と雌コネクタ２０のテーパ面４６とが接触し、脚部５１の弾性力により係合突起１６が前方へ押圧されて、両コネクタ１０，２０が密着した状態になる。したがって、雄コネクタ１０または雌コネクタ２０がクリープ等により変形した場合（外筒部２４が外側へ開く方向の変形等した場合）には、脚部５１の弾性復元力によって雄ハウジング１１が前方へ押されてその変形分だけ前進し、両コネクタ１０，２０は密着した状態に保持される。したがって、本実施形態のコネクタ１０，２０が高温、高震動の環境下で使用されても、両コネクタ１０，２０のがた付きを防止することができ、もって両端子１２，２２の微摺動摩耗を防止することができる。
【００４２】
さらに、傾斜面１７とテーパ面４６とが当接することにより、両コネクタ１０，２０は面当たりして密着しているから、強固にがた付きを防止することができる。加えて、前側フード部１３と端子収容部２３との間に挟み付けられたシールリング２８の弾発力により、前側フード部１３は外筒部２４に押し付けられた状態になる。これにより、テーパ面４６と傾斜面１７とが全周にわたってより強固に密着した状態に保持される。
【００４３】
また、スプリング５０は第１・第２位置決め壁３２，３３の間に装着されて前後方向の変位を規制され、かつフック部４４と押動部４２とにより上下方向の変位を規制されており、もってスプリング５０と雌ハウジング２１との間のがた付きを防ぐことができる。
【００４４】
次に、正規の嵌合状態でロックされた両コネクタ１０，２０を離脱させる。まず、ロック可能状態にあるロック解除アーム３９に指先を当てて、ロック解除操作部４５を下方へ押圧操作する。すると、ロック解除アーム３９が傾動して押動部４２がスプリング５０を上方へ押し上げる。スプリング５０が押し上げられるのに伴って、係合部５３の上側傾斜辺５３Ａが連通部３７の上面３７Ａに沿って外側に導かれ、脚部５１が弾性的に拡開変形していく。このとき、上側傾斜辺５３Ａおよび連通部３７の上面３７Ａは傾斜しているから、脚部５１が弾性変形する際に引っかかりにくく、スムーズなスプリング５０の変位が可能となる。そして、ロック解除アーム３９がロック解除状態に至ると、係合部５３が連通部３７の上面３７Ａの上端に位置して通過路３６から退避した状態になり、係合突起１６が後進可能な状態、すなわちロックが解除された状態になる。このように、ロック解除操作部４５を押圧操作することによって、スプリング５０が進入位置から退避位置に変位してロックの解除がなされるので、スプリング５０を直接指先で操作しなくて済むから操作性が良い。そして、ロックを解除した後、雌ハウジング２１の指掛け部２９に指を引っ掛けて雌ハウジング２１の両側を挟持し、後方へ引き抜いて両コネクタ１０，２０を離脱させる。
【００４５】
なお、両コネクタ１０，２０の離脱操作を終えた後に、ロック解除操作部４５を押圧していた指を離すと、ロック解除アーム３９は自然にロック可能状態に復帰し、脚部５１の係合部５３は弾性復元力で連通部３７の上面３７Ａに押し付けられる。すると、係合部５３は、連通部３７の上面３７Ａの傾斜により通過路３６に誘い込まれ、それに伴ってスプリング５０は退避位置から進入位置に変位する。したがって、ロック解除操作部４５から指先を離すだけで、スプリング５０は自動的に進入位置にセットされるから、両コネクタ１０，２０を離間した後に、再嵌合を行う際、スプリング５０を進入位置に再セットする必要がなく、コネクタ１０，２０の嵌合・離脱作業にかかる手間を省くことができる。
【００４６】
以上説明したように本実施形態によれば、一対のコネクタ１０，２０が正規の嵌合状態に至ると、雄コネクタ１０の前方にクリアランスが確保された状態で、雄コネクタ１０と雌コネクタ２０のテーパ面４６とが接触し、弾性復帰した脚部５１が被係合面１６Ｂを押圧することにより、雄コネクタ１０は前方（雌コネクタ２０との嵌合方向）に押された状態になる。したがって、コネクタ１０，２０がクリープ等により変形しても、雄ハウジング１１が脚部５１の弾性力によって前方へ押されてその分前進し、雄コネクタ１０と雌コネクタ２０のテーパ面４６とは接触した状態に保持されるから、両コネクタ１０，２０のがた付きを防止することができる。
【００４７】
＜他の実施形態＞
本発明は上記記述及び図面によって説明した実施形態に限定されるものではなく、例えば次のような実施形態も本発明の技術的範囲に含まれる。
【００４８】
（１）上記実施形態では、スプリング５０は雌コネクタ２０に装着されているが、これに限らず、スプリングを雌コネクタ側に係合可能な状態にして雄コネクタ側に装着するようにしてもよい。このとき、雌コネクタ側に被係合部を、雄コネクタ側に通過路を設け、例えば雄ハウジングの後端部にスプリングを装着し、また、雌ハウジングの外筒部の内側に被係合部を設け、両コネクタを嵌合する際には、スプリングの脚部が被係合部に接触して内側に弾性変位し、両コネクタが正規の嵌合状態に至ると脚部が外側に弾性復帰して被係合部の被係合面に係合するようにしてもよい。
【００４９】
（２）上記実施形態では、スプリング５０は、進入位置から上方に変位することにより退避位置に至るものとされているが、進入位置から下方（雌ハウジングへの接近方向）に変位することにより退避位置に至るものであっても良い。
【００５１】
（３）上記実施形態では、連通部３７の上面３７Ａと係合部５３の上側傾斜辺５３Ａとがともに傾斜する形態をなしているが、いずれか一方のみが傾斜する形態としてもよい。
【図面の簡単な説明】
【００５２】
【図１】本実施形態のコネクタの正規の嵌合状態を表す縦断面図
【図２】雌コネクタの外観斜視図
【図３】同平断面図
【図４】両コネクタの正規の嵌合状態を表す平断面図
【図５】同横断面図
【図６】ロックが解除された状態を表す雌コネクタの横断面図
【図７】両コネクタが離間した状態を表す縦断面図
【符号の説明】
【００５３】
１０…雄コネクタ（第１コネクタ）
１１…雄ハウジング（他方のハウジング）
１６…係合突起（被係合部）
１６Ｂ…被係合面
１７…傾斜面
２０…雌コネクタ（第２コネクタ）
２１…雌ハウジング（一方のハウジング）
２７…嵌合部
３２…第１位置決め壁（一対の壁部）
３３…第２位置決め壁（一対の壁部）
３５…装着部
３６…通過路
３７…連通部
３７Ａ…連通部の上面（誘導部）
４６…テーパ面
５０…スプリング
５１…脚部
５３…係合部
５３Ａ…上側傾斜辺（誘導部）
【図１】
0004962787.tif 000002
【図２】
0004962787.tif 000003
【図３】
0004962787.tif 000004
【図４】
0004962787.tif 000005
【図５】
0004962787.tif 000006
【図６】
0004962787.tif 000007
【図７】
0004962787.tif 000008